【手続補正書】
【提出日】令和2年1月27日(2020.1.27)
【手続補正１】
【補正対象書類名】特許請求の範囲
【補正対象項目名】全文
【補正方法】変更
【補正の内容】
【特許請求の範囲】
【請求項１】
人口統計的相関を介して非正規のセッションを識別するための方法であって、
クライアントコンピューティングデバイスからコンテンツサーバによって、コンテンツのアイテムの要求を受信するステップであって、前記要求が、第1のユーザに関連付けられる識別子を備える、ステップと、
コンテンツメタデータデータベースから前記コンテンツサーバのオーバーライドサービスによって、前記要求されたコンテンツのアイテムに関連付けられる第1の人口統計プロファイルを取り出すステップであって、前記第1の人口統計プロファイルが、複数の人口統計的特性の各々について、前記特性に関する第1の値と、前記特性に関する対応する割合と含む、ステップと、
ユーザプロファイルデータベースから前記オーバーライドサービスによって、前記第1のユーザに関連付けられる前記識別子に関連付けられる第2の人口統計プロファイルを取り出すステップであって、前記第2の人口統計プロファイルが、前記複数の人口統計的特性の各々について、前記特性に関する第2の値を含む、ステップと、
前記オーバーライドサービスの相関器によって、前記第1の人口統計プロファイルと前記第2の人口統計プロファイルとの間の比較スコアを計算するステップであって、前記計算が、
前記第1の人口統計プロファイルと前記第2の人口統計プロファイルの対応する人口統計的特性の間の重複に基づいて、前記第1の人口統計プロファイルの前記複数の割合の各々を調整することと、
前記調整された複数の割合の平均として前記比較スコアを計算することと
によって行われる、ステップと、
前記オーバーライドサービスによって、前記スコアが所定のしきい値未満であると決定するステップと、
前記オーバーライドサービスによって、前記スコアが前記所定のしきい値未満であることに基づいて、前記要求を、前記第1のユーザとは異なる第2のユーザに関連付けられるものとして識別するステップと、
前記識別に応答して、前記クライアントコンピューティングデバイスに対する、前記コンテンツサーバのコンテンツパーソナライゼーションシステムを無効にするステップと
を備える、方法。
【請求項２】
コンテンツプロバイダのコンテンツセレクタによって、前記クライアントコンピューティングデバイスへの送信のための第2のコンテンツのアイテムを選択するステップと、
前記コンテンツプロバイダによって、前記要求されたコンテンツのアイテムおよび前記第2のコンテンツのアイテムを前記クライアントコンピューティングデバイスに送信するステップと
をさらに備える、請求項1に記載の方法。
【請求項３】
前記第2のコンテンツのアイテムを選択するステップが、前記第2のコンテンツのアイテムが選択基準を有しないことに応答して、複数のコンテンツのアイテムから前記第2のコンテンツのアイテムを選択するステップを備える、請求項2に記載の方法。
【請求項４】
前記第2のコンテンツのアイテムを選択するステップが、前記第2のコンテンツのアイテムが、前記要求されたコンテンツのアイテムに関連付けられる前記第1の人口統計プロファイルに類似した人口統計プロファイルを有することに応答して、複数のコンテンツのアイテムから前記第2のコンテンツのアイテムを選択するステップを備える、請求項2に記載の方法。
【請求項５】
前記第1の人口統計プロファイルが、人口統計的特性および対応する割合をさらに備え、
前記第1の人口統計プロファイルと前記第2の人口統計プロファイルとの間の前記比較スコアを計算するステップが、前記第1の人口統計プロファイルおよび前記第2の人口統計プロファイルの両方が前記人口統計的特性を含むことに応答して、所定の量だけ前記割合を増加させるステップをさらに備える、請求項1に記載の方法。
【請求項６】
前記第1の人口統計プロファイルが、人口統計的特性および対応する割合をさらに備え、
前記第1の人口統計プロファイルと前記第2の人口統計プロファイルとの間の前記比較スコアを計算するステップが、前記第2の人口統計プロファイルが前記人口統計的特性を含まないことに応答して、前記割合を所定の量だけ減少させるステップをさらに備える、請求項1に記載の方法。
【請求項７】
前記第1の値が範囲であり、前記所定の関数が階段関数である、請求項1に記載の方法。
【請求項８】
前記要求を、前記第1のユーザとは異なる第2のユーザに関連付けられるものとして識別するステップが、前記オーバーライドサービスによって、前記クライアントコンピューティングデバイスの識別を備えるオーバーライドセッションテーブル内のエントリを生成するステップをさらに備える、請求項1に記載の方法。
【請求項９】
人口統計的相関を介して非正規のセッションを識別するためのシステムであって、
クライアントコンピューティングデバイスと通信するネットワークインターフェースと、コンテンツセレクタおよびオーバーライドサービスを実行するプロセッサと、ユーザプロファイルデータベースおよびコンテンツメタデータデータベースを記憶するメモリデバイスとを備えるコンテンツサーバを備え、
前記ネットワークインターフェースが、前記クライアントコンピューティングデバイスから、コンテンツのアイテムの要求を受信するように構成され、前記要求が、第1のユーザに関連付けられる識別子を備え、
前記オーバーライドサービスが、
前記コンテンツメタデータデータベースから、前記要求されたコンテンツのアイテムに関連付けられる第1の人口統計プロファイルを取り出すことであって、前記第1の人口統計プロファイルが、複数の人口統計的特性の各々について、前記特性に関する第1の値と、前記特性に関する対応する割合と含む、取り出すことと、
前記ユーザプロファイルデータベースから、前記第1のユーザに関連付けられる前記識別子に関連付けられる第2の人口統計プロファイルを取り出すことであって、前記第2の人口統計プロファイルが、前記複数の人口統計的特性の各々について、前記特性に関する第2の値を含む、取り出すことと、
前記第1の人口統計プロファイルと第2の人口統計プロファイルとの間の比較スコアを計算することであって、前記計算が、
前記第1の人口統計プロファイルと前記第2の人口統計プロファイルの対応する人口統計的特性の間の重複に基づいて、前記第1の人口統計プロファイルの前記複数の割合の各々を調整することと、
前記調整された複数の割合の平均として前記比較スコアを計算することと
によって行われる、計算することと、
前記スコアが所定のしきい値未満であると決定することと、
前記スコアが前記所定のしきい値未満であることに基づいて、前記要求を、前記第1のユーザとは異なる第2のユーザに関連付けられるものとして識別することと
を行うように構成され、
前記コンテンツセレクタが、前記識別に応答して、前記クライアントコンピューティングデバイスに対するコンテンツパーソナライゼーションシステムを無効にするように構成される、システム。
【請求項１０】
前記コンテンツセレクタが、前記クライアントコンピューティングデバイスへの送信のための第2のコンテンツのアイテムを選択するようにさらに構成され、
前記ネットワークインターフェースが、前記要求されたコンテンツのアイテムおよび前記第2のコンテンツのアイテムを前記クライアントコンピューティングデバイスに送信するようにさらに構成される、請求項9に記載のシステム。
【請求項１１】
前記コンテンツセレクタが、前記第2のコンテンツのアイテムが選択基準を有しないことに応答して、複数のコンテンツのアイテムから前記第2のコンテンツのアイテムを選択するようにさらに構成される、請求項10に記載のシステム。
【請求項１２】
前記第2のコンテンツのアイテムが、前記要求されたコンテンツのアイテムに関連付けられる前記第1の人口統計プロファイルに類似した人口統計プロファイルを有することに応答して、前記コンテンツセレクタが、複数のコンテンツアイテムから前記第2のコンテンツのアイテムを選択するようにさらに構成される、請求項10に記載のシステム。
【請求項１３】
前記第1の人口統計プロファイルが、人口統計的特性および対応する割合をさらに備え、
前記オーバーライドサービスが、前記第1の人口統計プロファイルおよび前記第2の人口統計プロファイルの両方が前記人口統計的特性を含むことに応答して、所定の量だけ前記割合を増加させるようにさらに構成される、請求項9に記載のシステム。
【請求項１４】
前記第1の人口統計プロファイルが、人口統計的特性および対応する割合をさらに備え、
前記オーバーライドサービスが、前記第2の人口統計プロファイルが前記人口統計的特性を含まないことに応答して、前記割合を所定の量だけ減少させるようにさらに構成される、請求項9に記載のシステム。
【請求項１５】
前記第1の値が範囲であり、前記所定の関数が階段関数である、請求項9に記載のシステム。
【請求項１６】
前記オーバーライドサービスが、前記要求は前記第1のユーザとは異なる第2のユーザに関連付けられると識別することに応答して、前記クライアントコンピューティングデバイスの識別を備えるオーバーライドセッションテーブル内のエントリを生成するようにさらに構成される、請求項9に記載のシステム。
【請求項１７】
前記所定の関数が重み関数を含む、請求項1に記載の方法。
【請求項１８】
前記所定の関数が非対称な重み関数を含む、請求項17に記載の方法。